(57)【要約】【課題】内部スペース拡張部の出し入れ作業をスムーズに行うことができ、かつ、内部スペース拡張部の構造を簡単なものとすることができるトレーラーハウスを提供する。【解決手段】小部屋部を支持する小部屋部支持装置を、前後一対の支持ローラ装置４１、４１から構成する。それぞれの支持ローラ装置４１を、ハウス本体の床部の下側に固定されたガイドパイプ４３と、このガイドパイプ４３にスライド可能に挿入された支持ガイドパイプ４５と、この支持ガイドパイプ４５にスライド可能に挿入された支持ロッド４７と、から構成し、支持ガイドパイプ４５の先端部に上下動ローラ装置４９を取り付け、支持ロッド４７の先端部にも上下動ローラ装置４９を取り付ける。【選択図】図６
2008279908.tif 000002
【特許請求の範囲】
【請求項１】
走行手段を有し、牽引車に牽引されて移動することができるハウス本体と、このハウス本体内に出し入れ可能に収容された内部スペース拡張部と、を備え、前記内部スペース拡張部は、前記ハウス本体の床部に沿って前記ハウス本体から引き出され、かつ、前記ハウス本体の床部に沿って前記ハウス本体内に押し込まれるように構成されているトレーラーハウスであって、
前記ハウス本体には拡張部支持装置が設けられ、
前記拡張部支持装置は、前記ハウス本体に設けられたスライド用ガイドと、このスライド用ガイドに案内されて前記内部スペース拡張部の出し入れ方向にスライド移動する支持ロッドと、この支持ロッドの先端側に取り付けられた、上下位置を調整することができる支持ローラと、を有していて、
前記支持ロッドを前記スライド用ガイドから引き出し、前記ハウス本体から引き出された前記内部スペース拡張部の底面部先端側を前記支持ローラで支持するように構成されている、ことを特徴とするトレーラーハウス。
【請求項２】
前記内部スペース拡張部は、上昇した前記支持ローラで前記底面部が支えられた状態で、前記ハウス本体から引き出されるように構成されている、ことを特徴とする請求項１記載のトレーラーハウス。
【請求項３】
前記内部スペース拡張部は、前記ハウス本体の床面上に載置された状態で前記ハウス本体内に収容されている、ことを特徴とする請求項１又は２記載のトレーラーハウス。
【請求項４】
前記支持ロッドは、下降した前記支持ローラが前記ハウス本体の前記床部下側に入り込むまで、前記スライド用ガイドに押し込むことができるように構成されている、ことを特徴とする請求項１、２又は３記載のトレーラーハウス。
【請求項５】
前記ハウス本体の前記床部の端部には、前記内部スペース拡張部の配置位置で段部が形成されていて、前記内部スペース拡張部が引き出されると、この内部スペース拡張部の後端部が前記段部内に収まり、前記ハウス本体の床面と前記内部スペース拡張部の床面とが共面状態となるように構成されている、ことを特徴とする請求項１、２、３又は４記載のトレーラーハウス。
【請求項６】
前記スライド用ガイドは、前記ハウス本体に固定されたガイド本体と、このガイド本体に案内されて前記内部スペース拡張部の出し入れ方向にスライド移動する支持ガイドと、を有し、前記支持ロッドは、前記支持ガイドに案内されて前記内部スペース拡張部の出し入れ方向にスライド移動するように構成されていて、
前記支持ガイドの先端側には、上下位置を調整することができる支持用ローラが取り付けられている、ことを特徴とする請求項１、２、３、４又は５記載のトレーラーハウス。
【発明の詳細な説明】
【技術分野】
【０００１】
この発明は、別荘や仮設住宅あるいは仮設事務所等として利用でき、かつ、牽引車に牽引されて移動することにより設置場所を変更できるトレーラーハウスに関する。
【背景技術】
【０００２】
別荘等として利用されるトレーラーハウスは、牽引車に牽引されて一般道路を移動するので、道路交通法上の制約を受ける。したがって、トレーラーハウスは、牽引時には比較的コンパクト化が可能であるとともに、利用時には別荘等として要求される十分な広さの内部スペースを確保できるように構成される必要がある。
【０００３】
このような構成のトレーラーハウスとしては、ハウス本体内に出し入れ可能に内部スペース拡張部あるいは小部屋部を収容したものが用いられている。このトレーラーハウスでは、牽引車に牽引されて移動するときは、内部スペース拡張部をハウス本体内に収めたままとし、利用時には内部スペース拡張部をトレーラーハウス本体から突出して引き出した状態として、トレーラーハウス全体の内部空間を拡大する。
【０００４】
内部スペース拡張部の出し入れ構造としては、図１０に示すように、ハウス本体１０１の側壁部１０３に拡張用開口部１０５を形成しておき、この拡張用開口部１０５の下端部に、内部スペース拡張部１０７の開口側下端部をヒンジ結合（例えば蝶番を用いる）したものが考えられる。このような出し入れ構造では、内部スペース拡張部１０７がハウス本体１０１から外側に突出し、ハウス本体１０１の拡張用開口部１０５と内部スペース拡張部１０７の開口部とが一致するように、内部スペース拡張部１０７を立てた状態に回転させて、ハウス本体１０１の内部スペースを内部スペース拡張部１０７分だけ広げる（図１０ａ参照）。ハウス本体１０１の床面１０９と内部スペース拡張部１０７の床面１１１とは共面状態となっていることが好ましい。例えば、ハウス本体１０１の拡張用開口部１０５の下端部に段差部１１３を形成し、内部スペース拡張部１０７の床部１１５の開口側部が、外側に僅かに突出する下段部１１７によって支持されるように構成して、ハウス本体１０１の床面１０９と内部スペース拡張部１０７の床面１１１とが共面状態となるようにしておく（図１０ｂも参照）。
【０００５】
内部スペース拡張部１０７をハウス本体１０１内に収容又は格納する場合には、内部スペース拡張部１０７を、ハウス本体１０１内に倒れ込むように、ヒンジ結合部を中心として回転させる（図１０ｂ参照）。
【０００６】
しかしながら、このような回転式の出し入れ構造では、内部スペース拡張部１０７の出し入れ作業が行い難い場合もあり得る。
【０００７】
あるいは、特許文献１に記載されたような、スライド式の内部スペース拡張部の出し入れ構造も採用されている。この出し入れ構造は、内部スペース拡張部（子ユニット）の底面にローラを取り付けておき、ハウス本体（親ユニット）に構成したフレームやレール上でローラを回転移動させて内部スペース拡張部の出し入れを行うものであり、比較的簡単に出し入れ作業が行えるように構成されている。さらに、非特許文献１及び非特許文献２に記載されたように（特に非特許文献１の５３頁の図２２及び非特許文献２の７９頁の図３１参照）、伸縮ロッドの先端側を、内部スペース拡張部に固定し、伸縮ロッドを伸縮させることにより、内部スペース拡張部を出し入れする構造も採用されている。
【０００８】
【特許文献１】特開平１１−１０７５５３号公報
【非特許文献１】“スカイライン  コーポレーション  ８’ワイド  リクリエーショナル  パーク  トレーラー  オーナー  アンド  インストレーション  マニュアル（ＳＫＹＬＩＮＥ  ＣＯＲＰＯＲＡＴＩＯＮ  ８’  ＷＩＤＥ  ＲＥＣＲＥＡＴＩＯＮＡＬ  ＰＡＲＫ  ＴＲＡＩＬＥＲ  ＯＷＮＥＲ  ＡＮＤ  ＩＮＳＴＡＬＬＡＴＩＯＮ  ＭＡＮＵＡＬ）”、［ｏｎｌｉｎｅ］、２００５年４月１９日、スカイライン  コーポレーション（Ｓｋｙｌｉｎｅ  Ｃｏｒｐｏｒａｔｉｏｎ）、［平成１９年５月９日検索］、インターネット、＜URL:http://www.skylinecorp.com/Manuals/8wParkTrlManual.zip＞
【非特許文献２】“トラベル  トレーラー  フィフス  ホイール  オーナーズ  マニュアル（ＴＲＡＶＥＬ  ＴＲＡＩＬＥＲ  ＦＩＦＴＨ  ＷＨＥＥＬ  ＯＷＮＥＲＳ  ＭＡＮＵＡＬ）”、［ｏｎｌｉｎｅ］、２００６年２月１４日、スカイライン  コーポレーション（Ｓｋｙｌｉｎｅ  Ｃｏｒｐｏｒａｔｉｏｎ）、［平成１９年５月９日検索］、インターネット、＜URL: http://www.skylinecorp.com/Manuals/1YearTTFWOwnerMan.zip＞
【発明の開示】
【発明が解決しようとする課題】
【０００９】
しかしながら、特許文献１に記載されたように、内部スペース拡張部にローラのような走行手段を設けると、内部スペース拡張部をハウス本体内に格納する構造が複雑となってしまう。また、非特許文献１及び非特許文献２に記載された構造では、伸縮ロッドを伸長させ、内部スペース拡張部を出し入れするのに駆動装置が必要となってしまう。
【００１０】
そこで本発明は、内部スペース拡張部の出し入れ作業をスムーズに行うことができ、かつ、内部スペース拡張構造を簡単なものとすることができるトレーラーハウスの提供を目的とする。
【課題を解決するための手段】
【００１１】
この目的を達成するための本発明のトレーラーハウスは、走行手段を有し、牽引車に牽引されて移動することができるハウス本体と、このハウス本体内に出し入れ可能に収容された内部スペース拡張部と、を備え、前記内部スペース拡張部は、前記ハウス本体の床部に沿って前記ハウス本体から引き出され、かつ、前記ハウス本体の床部に沿って前記ハウス本体内に押し込まれるように構成されているトレーラーハウスであって、前記ハウス本体には拡張部支持装置が設けられ、前記拡張部支持装置は、前記ハウス本体に設けられた、例えば固定されたスライド用ガイドと、このスライド用ガイドに案内されてあるいは挿入されて前記内部スペース拡張部の出し入れ方向にスライド移動する支持ロッドと、この支持ロッドの先端側に取り付けられた、上下位置を調整することができる支持ローラと、を有していて、前記支持ロッドを前記スライド用ガイドから引き出し、前記ハウス本体から引き出された前記内部スペース拡張部の底面部先端側を前記支持ローラで支持するように構成されているものである。ここでは例えば、内部スペース拡張部を、ハウス本体の床面上に載置された状態でハウス本体内に収容又は格納しておくことができる。そして、内部スペース拡張部をハウス本体内から引き出すときは、支持ローラ（支持用ローラを設ける場合には、例えば支持ローラ及び支持用ローラ）を、例えば上昇させて内部スペース拡張部の底面部を支える状態とし、内部スペース拡張部を支持ローラ（支持用ローラを設ける場合には、例えば支持ローラ及び支持用ローラ）で支えられた状態で引き出し方向に移動させるように構成できる。すなわち、内部スペース拡張部を、例えば上昇した支持ローラ（支持用ローラを設ける場合には、例えば支持ローラ及び支持用ローラ）で底面部が支えられた状態で、ハウス本体から引き出すように構成することが可能である。内部スペース拡張部を引き出す前の状態では、支持ローラ（支持用ローラを設ける場合には、例えば支持ローラ及び支持用ローラ）を低い位置に下降させておくことができる。そして、内部スペース拡張部を引き出すときは、引き出す前よりも支持ローラ（支持用ローラを設ける場合には、例えば支持ローラ及び支持用ローラ）を上昇させることができる。内部スペース拡張部の引き出し過程では、必要に応じ、支持ロッドをスライド用ガイドから引き出す。内部スペース拡張部は、例えば支持ローラ（支持用ローラを設ける場合には、例えば支持ローラ及び支持用ローラ）の回転によりスムーズに引き出される。そして、所定位置まで引き出された内部スペース拡張部の底面部先端側が支持ローラで支えられるようにしておく。また、内部スペース拡張部をハウス本体内に押し込むときは、内部スペース拡張部を、底面部が、例えば上昇した支持ローラ（支持用ローラを設ける場合には、例えば支持ローラ及び支持用ローラ）で支えられた状態で押し込み方向に移動させるように構成できる。内部スペース拡張部の押し込み過程では、必要に応じた態様で、支持ロッドをスライド用ガイド内に押し込む。内部スペース拡張部は、例えば支持ローラ（支持用ローラを設ける場合には、例えば支持ローラ及び支持用ローラ）の回転によりスムーズに押し込まれる。ここでは、支持ローラ（支持用ローラを設ける場合には、例えば支持ローラ及び支持用ローラ）を下降させ、支持ロッドをスライド用ガイド内に押し込めば（支持用ローラを設ける場合には、例えば支持ガイドをガイド本体内に押し込み、支持ロッドを支持ガイド内に押し込めば）、支持ローラ（支持用ローラを設ける場合には、例えば支持ローラ及び支持用ローラ）をハウス本体の床部下側に入り込むように移動させることができるといった構成が好ましい。
【００１２】
ハウス本体の床部の端部に、内部スペース拡張部の配置位置で段部を形成しておき、内部スペース拡張部が引き出されると、この内部スペース拡張部の後端部が段部内に収まり、ハウス本体の床面と内部スペース拡張部の床面とが共面状態となるように構成すれば、トレーラーハウスの使い勝手が向上する。
【００１３】
本発明のトレーラーハウスでは、スライド用ガイドを、ハウス本体に固定されたガイド本体と、このガイド本体に案内されてあるいは挿入されて前記内部スペース拡張部の出し入れ方向にスライド移動する支持ガイドと、を有するように構成し、かつ、支持ロッドを、支持ガイドに案内されてあるいは挿入されて内部スペース拡張部の出し入れ方向にスライド移動するように構成するとともに、支持ガイドの先端側に、上下位置を調整することができる支持用ローラを取り付けておくことができる。
【発明の効果】
【００１４】
以上説明したように、本発明のトレーラーハウスでは、内部スペース拡張部の出し入れ作業を容易に行うことができ、しかも、内部スペース拡張構造が複雑となることもない。
【発明を実施するための最良の形態】
【００１５】
以下、本発明の実施の形態を図面を参照して説明する。
【００１６】
図１は本発明に係るトレーラーハウスであって小部屋部を引き出した状態のものの斜視図、図２は本発明に係るトレーラーハウスであって小部屋部を引き出した状態のものの正面図、図３は本発明に係るトレーラーハウスであって小部屋部を引き出した状態のものの側面図、図４はハウス本体の一方の拡張用開口部個所の構造を示す斜視図、図５は一方の小部屋部の斜視図、図６は支持ローラ装置の斜視図、図７は上下動ローラ装置部分の側面図である。
【００１７】
トレーラーハウス１は、ハウス本体３と、このハウス本体３に設けられた２つの小部屋部５、７（内部スペース拡張部）と、を備えている。ハウス本体３は、木製又は合板製であり、概略的には、走行方向に長い直方体状の箱体として形成されていて、このハウス本体３の床部９の裏面には、長さ方向（前後方向）に延びる金属製の２本の取り付け材１１、１３が、幅方向に間隔を有して平行に取り付けられている。それぞれの取り付け材１１、１３の長さ方向中間部には、２つの走行用車輪１５、１５（走行手段）が取り付けられていて、トレーラーハウス１はこの走行用車輪１５によって公道を走行して移動できるように構成されている。また、取り付け材１１、１３には、小部屋部５、７の配置位置でそれぞれ、小部屋部支持装置１７（拡張部支持装置）が取り付けられている。小部屋部５、７はそれぞれ、木製又は合板製であり、概略的には、内側で開口する直方体状の箱体の天井部を、外側に向かうにしたがって下降するように傾斜させて構成したものであり、ハウス本体３内に配置されているが、ハウス本体３の一方の側壁部（拡張側の側壁部）１９に設けられた拡張用開口部２１、２３から外側に突出する状態となっている。なお、図中符号２５は、ハウス本体３の裏面の取り付け材１１、１３に固定された連結部であり、トレーラーハウス１の移動時には、牽引車（図示せず）の牽引部がこの連結部２５に接続され、牽引車とトレーラーハウス１とが接続される。
【００１８】
一方の拡張用開口部（前側拡張用開口部）２１は、一方の小部屋部（前側小部屋部）５の内端部の輪郭に対応するように長方形状に形成され、ハウス本体３の拡張側の側壁部１９の上端側部から下端に至るまで設けられている。ハウス本体３の床部９の前側拡張用開口部２１に位置する側端部２７には段部が設けられ、ハウス本体３の床面２９よりも一段下がった支持面３１が形成されていて、支持面３１と床面２９との間の高さ距離は、前側小部屋部５の床部３３の厚さに等しいように又はほぼ等しいように設定されている。
【００１９】
前側小部屋部５は、ハウス本体３の床面２９上に載置され、かつ、床面２９に沿って移動できるように配置されていて、前側拡張用開口部２１から突出する拡張状態（図１に示す状態）と、ハウス本体３内に収まった格納状態とに移動して変化できるように構成されている。前側小部屋部５の内側開口端部には、上側及び幅方向両側で、拡張側の側壁部１９と平行に張り出す張り出し部３５が設けられていて、幅方向両側の張り出し部３５の下端は、前側小部屋部５の床面３７と同一の高さに位置している。なお、図中符号３９は、前側小部屋部５の床部３３の先端面に固定された保持プレートである。
【００２０】
前側小部屋部５の配置位置に設けられた小部屋部支持装置１７は、前後一対の支持ローラ装置４１、４１を備えている。それぞれの支持ローラ装置４１は、ハウス本体３の床部９の下側で、取り付け材１１、１３を貫通して又は取り付け材１１、１３に固定されて幅方向に延びる断面正方形状の太いガイドパイプ４３（ガイド本体）と、このガイドパイプ４３の前側拡張用開口部２１側の開口（先端開口）からガイドパイプ４３内に挿入され、ガイドパイプ４３に沿ってスライド移動し、ガイドパイプ４３の先端開口からの突出長さを変化させることができる断面正方形状の中間の支持ガイドパイプ４５（支持ガイド）と、この支持ガイドパイプ４５の前側拡張用開口部２１側の開口（先端開口）から支持ガイドパイプ４５内に挿入され、支持ガイドパイプ４５に沿ってスライド移動し、支持ガイドパイプ４５の先端開口からの突出長さを変化させることができる断面正方形状の細い支持ロッド４７と、を有し、支持ガイドパイプ４５の先端部には、上下動ローラ装置４９が取り付けられている。また、支持ロッド４７の先端部にも上下動ローラ装置４９が取り付けられている。上下動ローラ装置４９は、一対の側部５１、５１及びこの一対の側部５１、５１を連結する連結部５３から一体的に構成されたＵ字状の支持体５５と、一対の側部５１、５１の、連結部５３と反対側に回転可能に取り付けられたローラ体５７（支持ローラ及び支持用ローラ）と、を有し、支持体５５の連結部５３には取り付け孔５９が設けられている。このような上下動ローラ装置４９は、一対の側部５１、５１がそれぞれ、支持ガイドパイプ４５及び支持ロッド４７の一対の側面に形成されたスライド溝６１、６１内にスライド可能に嵌り込み、支持ガイドパイプ４５及び支持ロッド４７下面から下側に延びる雄ネジシャフト６３が、連結部５３の取り付け孔５９を貫通し、かつ、ローラ体５７が支持ガイドパイプ４５及び支持ロッド４７の上方に位置するように、支持ガイドパイプ４５及び支持ロッド４７にそれぞれ取り付けられていて、雄ネジシャフト６３には、連結部５３を支える上下動用ナット部材６５がネジ付けられている。連結部５３の取り付け孔５９は、雄ネジシャフト６３の外径よりも大きな径を有している。したがって、上下動用ナット部材６５を回転させ、雄ネジシャフト６３に沿って上昇させると、連結部５３が上昇し、ローラ体５７も上昇する。反対に、上下動用ナット部材６５を回転させ、雄ネジシャフト６３に沿って下降させると、連結部５３が下降し、ローラ体５７も下降する。なお、支持ロッド４７に取り付けられた上下動ローラ装置４９の支持体５５は、支持ガイドパイプ４５に取り付けられた上下動ローラ装置４９の支持体５５よりも幅が狭く形成されている。
【００２１】
図８は格納状態から拡張状態に前側小部屋部５を移動させて変化させる場合を説明する図であり、支持ガイドパイプ４５を引き出し、ローラ体５７を上昇させるまでの過程を示す概念図、図９は格納状態から拡張状態に前側小部屋部５を移動させて変化させる場合を説明する図であり、前側小部屋部５をハウス本体３から引き出し拡張状態とする場合を示す概念図である。
【００２２】
格納状態では、前側小部屋部５は、前壁部６７（図１も参照）が前側拡張用開口部２１内に位置するようにハウス本体３内に収まっている。この格納状態では、支持ガイドパイプ４５（支持ガイドパイプ４５の大部分）はガイドパイプ４３内に収まり、また、支持ロッド４７（支持ロッド４７の大部分）も支持ガイドパイプ４５内に収まっていて、支持ガイドパイプ４５のローラ体５７も、支持ロッド４７のローラ体５７も、最下端位置又は最下端位置付近まで下降し、ハウス本体３の床部９の側端部２７付近裏面と接触状態又は接近状態となっている（図８ａ）。前側小部屋部５の保持プレート３９は、下端がローラ体５７の下端と高さ位置が一致するように又はほぼ一致するように形成されているので、支持ガイドパイプ４５及び支持ロッド４７が自然に伸長するのを防止する機能を有している。
【００２３】
前側小部屋部５をハウス本体３から引き出して拡張状態とするには、まず、前側小部屋部５を若干あるいは多少引き出してから（説明の便宜上、大きく引き出されたように図示されている）、支持ガイドパイプ４５を、支持ガイドパイプ４５に設けられた係合部（図示せず）がガイドパイプ４３のストッパ（図示せず）と当接又は係合するまで、ガイドパイプ４３から引き出し、支持ガイドパイプ４５のローラ体５７及び支持ロッド４７のローラ体５７を、ハウス本体３の床部９の側端部２７よりも若干外側に位置させる。そして、それぞれのローラ体５７を、上下動用ナット部材６５を操作して、ローラ体５７の上端がハウス本体３の床面２９と同一の高さとなり、あるいは床面２９よりも多少高くなり、前側小部屋部５の床部３３裏面と接触するようにあるいは床部３３裏面を支持するように上昇させる（図８ｂ）。
【００２４】
次に、前側小部屋部５を、床部３３の裏面がローラ体５７、５７に支えられた状態で、ハウス本体３から引き出す。ハウス本体３の引き出しに伴ってローラ体５７、５７が回転するので、引き出しは円滑に行われる。床部３３の先端部が支持ガイドパイプ４５のローラ体５７から適当な距離だけ離れるまで前側小部屋部５を引き出したら、例えば、前側小部屋部５の引き出しを中断し、支持ロッド４７を支持ガイドパイプ４５から引き出し、支持ロッド４７のローラ体５７を、床部３３の先端部近傍に位置させる。床部３３の裏面がローラ体５７上に載っていても、ローラ体５７の回転により、支持ロッド４７の引き出しは円滑に行われる。例えば、前側小部屋部５の引き出しと、支持ロッド４７の引き出しとが交互に繰り返され、前側小部屋部５は、張り出し部３５が前側拡張用開口部２１の周縁部内側と接触状態となるまで引き出される（図９ａ）。なお、ローラ体５７、５７を図８ｂの状態としたまま、前側小部屋部５を、図９ａの状態となるまで引き出し、その後、支持ロッド４７を引き出して、支持ロッド４７のローラ体５７を図９ａの状態となるようにしてもよい。この状態では、支持ロッド４７は、例えば支持ロッド４７に設けられた係合部（図示せず）が、支持ガイドパイプ４５のストッパ（図示せず）と当接あるいは係合するまで、支持ガイドパイプ４５から引き出されている。また、支持ロッド４７のローラ体５７は、床部３３の先端部近傍を支え、支持ガイドパイプ４５のローラ体５７は、床部３３の後端側を支えていて、床部３３の後端部は、ハウス本体３の床部９の床面２９を越えて支持面３１の上方に位置している。そして、支持ガイドパイプ４５のローラ体５７及び支持ロッド４７のローラ体５７を、上下動用ナット部材６５を操作して床部９の側端部２７の支持面３１と同一の高さ位置まで下降させる。そうすると、前側小部屋部５は、床部３３の開口端部が支持面３１に支持され、床部３３の開口端部近傍が支持ガイドパイプ４５のローラ体５７に支持され、かつ、床部３３の先端部近傍が支持ロッド４７のローラ体５７に支持されて、水平に保持された拡張状態となる（図９ｂ）。ハウス本体３の床面２９と支持面３１との間の高さ距離は、前側小部屋部５の床部３３の厚さに等しいように又はほぼ等しいように設定されているので、ハウス本体３の床面２９と前側小部屋部５の床面３７との間に段差は生じていない。
【００２５】
拡張状態となった前側小部屋部５を格納状態とする場合には、支持ガイドパイプ４５のローラ体５７及び支持ロッド４７のローラ体５７を、上下動用ナット部材６５を操作して、ローラ体５７の上端がハウス本体３の床面２９と同一の高さとなり、あるいは床面２９よりも多少高くなり、ローラ体５７に支えられて床部３３の裏面がハウス本体３の床面２９と同一の高さ位置又は床面２９よりも多少高い位置となるまで、上昇させる（図９ａ参照）。次に、支持ロッド４７を支持ガイドパイプ４５内に若干押し込み、支持ロッド４７のローラ体５７を、床部３３の先端部から適当な距離だけ離れて位置させる。床部３３の裏面が支持ローラ５７上に載っていても、支持ローラ５７の回転により、支持ロッド４７の押し込みは円滑に行われる。そして、前側小部屋部５を、床部３３の裏面がローラ体５７、５７に支えられた状態で移動させ、ハウス本体３内に押し込む。前側小部屋部５の押し込みに伴ってローラ体５７、５７が回転するので、押し込みは円滑に行われる。床部３３の先端部が支持ロッド４７のローラ体５７に接近したら、前側小部屋部５の押し込みを中断し、支持ロッド４７を支持ガイドパイプ４５内に押し込み、支持ロッド４７のローラ体５７を、床部３３の先端部から離す。例えば、支持ロッド４７の押し込みと、前側小部屋部５の押し込みとが交互に繰り返され、前側小部屋部５は、ハウス本体３内に大部分が格納された状態となる（図８ｂ）。なお、図９ａの状態で、支持ロッド４７を図８ｂの状態まで押し込んでから、前側小部屋部５の押し込みを開始してもよい。その後、支持ガイドパイプ４５のローラ体５７及び支持ロッド４７のローラ体５７を最下端又は最下端近傍まで下降させ、支持ガイドパイプ４５をガイドパイプ４３内に押し込んで、ローラ体５７、５７を床部９の側端部２７近傍の下側に収容する。そして、前側小部屋部５を、前壁部６７が前側拡張用開口部２１内に位置するまで、ハウス本体３内に押し込んで、前側小部屋部５を格納状態とする（図８ａ）。
【００２６】
なお、後側小部屋部７箇所の構造は、前側小部屋部５箇所の構造と同一である。
【産業上の利用可能性】
【００２７】
本発明のトレーラーハウスは、内部スペース拡張部の出し入れ構造に特徴を有する。
【図面の簡単な説明】
【００２８】
【図１】本発明に係るトレーラーハウスであって小部屋部を引き出した状態のものの斜視図である。
【図２】本発明に係るトレーラーハウスであって小部屋部を引き出した状態のものの正面図である。
【図３】本発明に係るトレーラーハウスであって小部屋部を引き出した状態のものの側面図である。
【図４】ハウス本体の一方の拡張用開口部個所の構造を示す斜視図である。
【図５】一方の小部屋部の斜視図である。
【図６】支持ローラ装置の斜視図である。
【図７】上下動ローラ装置部分の側面図である。
【図８】格納状態から拡張状態に前側小部屋部を移動させて変化させる場合を説明する図であり、支持ガイドパイプを引き出し、ローラ体を上昇させるまでの過程を示す概念図である。
【図９】格納状態から拡張状態に前側小部屋部を移動させて変化させる場合を説明する図であり、前側小部屋部をハウス本体から引き出し拡張状態とする場合を示す概念図である。
【図１０】内部スペース拡張部の回転式の出し入れ構造を示す概念図である。
【符号の説明】
【００２９】
１                トレーラーハウス
３                ハウス本体
５、７            小部屋部（内部スペース拡張部）
９                床部
１５              走行用車輪（走行手段）
１７              小部屋部支持装置（拡張部支持装置）
４１              支持ローラ装置
４３              ガイドパイプ（ガイド本体）
４５              支持ガイドパイプ(支持ガイド）
４７              支持ロッド
５７              ローラ体（支持ローラ及び支持用ローラ）
【図１】
2008279908.tif 000003
【図２】
2008279908.tif 000004
【図３】
2008279908.tif 000005
【図４】
2008279908.tif 000006
【図５】
2008279908.tif 000007
【図６】
2008279908.tif 000008
【図７】
2008279908.tif 000009
【図８】
2008279908.tif 000010
【図９】
2008279908.tif 000011
【図１０】
2008279908.tif 000012